(57)【要約】      （修正有）【課題】見込方向及び左右方向に移動可能な障子を備える建具において、枠体の開口部に納められる閉鎖位置から枠体の外側まで障子を見込方向で安定的に移動させることができる構成を提供する。【解決手段】建具は、閉鎖位置と枠体の外側の突出位置の間でスライドドア（障子）３を見込方向で移動可能に支持する見込用スライド機構と、突出位置と開放位置との間でスライドドア３を移動可能に支持する左右用スライド機構（左右移動支持部）と、枠体に回転可能に配置されるアーム４１と、アーム４１に配置されるカムピン（カム部）４１０と、スライドドア（障子）３に配置されるカム溝４１１と、を備え、アーム４１の回転によってカムピン４１０がカム溝４１１に係合する係合位置からカム溝４１１から離脱してスライドドア３に左右方向視で重ならない待機位置に移動することにより、スライドドア３が閉鎖位置から突出位置に移動する。【選択図】図９
2020012242.tif 000002
【特許請求の範囲】
【請求項１】
建物の開口部に沿って固定される枠体と、
前記枠体内に納められる障子と、
前記開口部を閉鎖する閉鎖位置と前記開口部から見込方向で前記枠体の外側に突出した突出位置の間で前記障子を移動可能に支持する見込移動支持部と、
前記突出位置と該突出位置から左右方向に離間した開放位置との間で前記障子を移動可能に支持する左右移動支持部と、
前記枠体に回転可能に配置されるアームと、
前記アーム又は前記障子の何れか一方に配置されるカム部と、
前記アーム又は前記障子の何れか他方に配置され、前記カム部に係合可能なカム溝と、
を備え、
前記アームの回転によって前記カム部が前記カム溝に係合する係合位置から前記カム溝から離脱して前記障子に左右方向視で重ならない待機位置に移動することにより、前記障子が閉鎖位置から前記突出位置に移動する建具。
【請求項２】
前記枠体に配置され、前記アームを回転させる見込用駆動モータを更に備える請求項１に記載の建具。
【請求項３】
前記枠体には、前記アームが上下方向に間隔をあけて複数配置され、
前記障子には、前記カム溝又は前記カム部が前記アームに対応して複数配置され、
複数の前記アームのそれぞれがリンクバーに連結され、複数の前記アームのうちの１つが回転すると、他の前記アームも連動して回転する請求項１又は２に記載の建具。
【発明の詳細な説明】
【技術分野】
【０００１】
本発明は、見込方向及び左右方向に移動可能な障子を備える建具に関する。
【背景技術】
【０００２】
従来、障子を見込方向に移動させた後、左右方向に移動させる構造の建具が知られている。この種の建具を開示するものとして特許文献１がある。
【０００３】
特許文献１は、開口部分を有する建造物と、表面側に操作部材を有し、該開口部分を開閉可能にスライドするドア本体とを備えるドア構造に関するものである。特許文献１には、ドア構造が、前記ドア本体が前記開口部分を閉塞した閉位置と、前記ドア本体が前記開口部分を開放した開放位置へ移動可能な開放可能位置との間で、前記開口部分に対して内外方向へ前記ドア本体をスライド可能に支持する内外方向支持部と、前記ドア本体を前記開放可能位置と前記開放位置との間で前記開口部分に対して左右方向へスライド可能に支持する左右方向支持部と、を備えることが記載されている。
【先行技術文献】
【特許文献】
【０００４】
【特許文献１】特開２００７−３０９０６３号公報
【発明の概要】
【発明が解決しようとする課題】
【０００５】
枠体の開口部を閉鎖する閉鎖位置から障子を見込方向で枠体の外側に移動させた後、左右方向に移動させて開口部を開放する構成の建具では、障子を閉鎖位置から枠体の外側まで引っ張り出す必要がある。特許文献１のようにキッチンルームの収納庫であれば、操作部分を障子の中央に配置することも考えられるが、玄関ドア等では操作部分が戸先側に位置するため、障子を見込方向に引き出す際に力の掛かり具合が戸先側に偏ってしまい、スムーズに障子を枠体の外側に引っ張り出すことが難しかった。障子の見込方向における安定的な移動という点で従来技術には改善の余地があった。
【０００６】
本発明は、見込方向及び左右方向に移動可能な障子を備える建具において、枠体の開口部に納められる閉鎖位置から枠体の外側まで障子を見込方向で安定的に移動させることができる構成を提供することを目的とする。
【課題を解決するための手段】
【０００７】
本発明は、建物の開口部に沿って固定される枠体（例えば、後述の枠体２）と、前記枠体内に納まる障子（例えば、後述のスライドドア３）と、前記開口部を閉鎖する閉鎖位置と前記開口部から見込方向で前記枠体の外側に突出した突出位置の間で前記障子を移動可能に支持する見込移動支持部（例えば、後述の見込用スライド機構３１）と、前記突出位置と該突出位置から左右方向に離間した開放位置との間で前記障子を移動可能に支持する左右移動支持部（左右用スライド機構３０）と、前記枠体に回転可能に配置されるアーム（例えば、後述のアーム４１）と、前記アーム又は前記障子の何れか一方に配置されるカム部（例えば、後述のカムピン４１０）と、前記アーム又は前記障子の何れか他方に配置され、前記カム部に係合可能なカム溝（例えば、後述のカム溝４１１）と、を備え、前記アームの回転によって前記カム部が前記カム溝に係合する係合位置から前記カム溝から離脱して前記障子に左右方向視で重ならない待機位置に移動することにより、前記障子が閉鎖位置から前記突出位置に移動する建具（例えば、後述の建具１）に関する。
【０００８】
前記建具は、前記枠体に配置され、前記アームを回転させる見込用駆動モータ（例えば、後述の見込用駆動モータ４３）を更に備えることが好ましい。
【０００９】
前記枠体には、前記アームが上下方向に間隔をあけて複数配置され、前記障子には、前記カム溝又は前記カム部が前記アームに対応して複数配置され、複数の前記アームのそれぞれがリンクバー（例えば、後述のリンクバー４２）に連結され、複数の前記アームのうちの１つが回転すると、他の前記アームも連動して回転することが好ましい。
【発明の効果】
【００１０】
本発明の建具によれば、枠体の開口部に納められる閉鎖位置から枠体の外側まで障子を見込方向で安定的に移動させることができる。
【図面の簡単な説明】
【００１１】
【図１】本発明の一実施形態に係る建具の正面図である。
【図２】本実施形態の建具の斜視図である。
【図３Ａ】本実施形態の建具の閉鎖位置を示す平面図である。
【図３Ｂ】本実施形態の建具の通風位置を示す平面図である。
【図３Ｃ】本実施形態の建具の開放位置を示す平面図である。
【図４】本実施形態の建具の開放位置を示す斜視図である。
【図５】本実施形態の建具の見込用スライド機構及び左右用スライド機構の室外側を示す拡大斜視図である。
【図６】本実施形態の建具の見込用スライド機構及び左右用スライド機構を示す拡大正面図である。
【図７】本実施形態の建具の見込用スライド機構及び左右用スライド機構の室内側を示す拡大斜視図である。
【図８】本実施形態の建具の前後駆動機構を示す斜視図である。
【図９】本実施形態の建具の前後駆動機構を示す拡大斜視図である。
【図１０Ａ】本実施形態の閉鎖位置のアームとアーム係合部の様子を示す図である。
【図１０Ｂ】本実施形態の通風位置のアームとアーム係合部の様子を示す図である。
【図１０Ｃ】本実施形態の開放位置のアームとアーム係合部の様子を示す図である。
【図１１】本実施形態の建具が備える戸車の位置を示す拡大正面図である。
【図１２】本実施形態の建具の縦断面図である。
【図１３】本実施形態の建具が備える戸車を示す拡大断面図である。
【図１４Ａ】本実施形態の建具の閉鎖位置を示す拡大横断面図である。
【図１４Ｂ】本実施形態の建具の通風位置を示す拡大横断面図である。
【図１５】本実施形態の建具が備える給電装置の位置を示す拡大正面図である。
【図１６】本実施形態の建具が備える給電装置及び受電プレートを示す拡大斜視図である。
【図１７Ａ】本実施形態の建具が閉鎖位置にある状態での給電装置及び受電プレートを示す拡大縦断面図である。
【図１７Ｂ】本実施形態の建具が通風位置にある状態での給電装置及び受電プレートを示す拡大縦断面図である。
【図１７Ｃ】本実施形態の建具が突出位置にある状態での給電装置及び受電プレートを示す拡大縦断面図である。
【発明を実施するための形態】
【００１２】
以下、本発明の好ましい実施形態について、図面を参照しながら説明する。図１は、本発明の一実施形態に係る建具１の正面図である。図２は、本実施形態の建具１の斜視図である。図１に示すように、本実施形態の建具１は、建物に固定される枠体２と、枠体２の内側に納められる左右一対のスライドドア３と、スライドドア３の移動をガイドする左右一対のガイドレール４と、を備える。
【００１３】
枠体２は、建物の開口部６に沿って固定される。枠体２は、上枠２１、左右一対の縦枠２２及び下枠２４が矩形に枠組みされて構成され、上枠２１、左右一対の縦枠２２及び下枠２４によって囲まれた空間を形成する。以下の説明において、建物の開口部のうち、枠体２の内側の空間を枠体２の開口部２０として説明する。左右一対のスライドドア３は、電動で開閉動作し、閉鎖位置、通風位置、及び閉鎖状態の３つの位置で停止させることが可能となっている。ガイドレール４は、枠体２の開口部２０よりも室外側であって枠体２の左右方向外側に延び出ている。
【００１４】
図３Ａは、本実施形態の建具１の閉鎖位置を示す平面図である。図３Ａに示すように、閉鎖状態では、左右一対のスライドドア３は壁５に納まった状態となる。
【００１５】
図３Ｂは、本実施形態の建具１の通風位置を示す平面図である。図３Ｂに示すように、通風位置では、左右一対のスライドドア３は、ロック状態を保持しながら枠体２に一部が納まった状態で停止する。
【００１６】
図３Ｃは、本実施形態の建具１の開放位置を示す平面図である。図３Ｃに示すように、左右一対のスライドドア３は、通常状態から更に室外側にせり出した後、ロック状態を解除して左右方向で互いに離れる方向に移動する。左右一対のスライドドア３は、ガイドレール４に案内されながら開放位置まで移動する。
【００１７】
図３Ａ〜図３Ｃに示すように、スライドドア３の室外側（正面側）に位置する見付面を第１面３ａとし、室内側（背面側）に位置する見付面を第２面３ｂとする。通風位置では、第１面３ａが縦枠２２（枠体２）の室外側見付面よりも見込方向室外側に位置する。また、通風位置から開放位置の移動では、通風位置から更に見込方向室外側に突出し、スライドドア３の第２面３ｂも、縦枠２２（枠体２）の室外側見付面２２ａよりも見込方向室外側に位置する。この状態でスライドドア３が左右方向外側の開放位置まで移動する。開放位置では、スライドドア３の第２面３ｂが壁５に見込方向で対向する。
【００１８】
図４は、本実施形態の建具１の開放位置を示す斜視図である。図４に示すように、建具１は、スライドドア３を上枠２１に対して前後方向に移動可能に支持する見込用スライド機構３１と、見込用スライド機構３１に支持されるとともにスライドドア３を左右方向に移動可能に吊り下げ支持する左右用スライド機構３０と、スライドドア３の左右方向への移動時にスライドドア３を下から支持する戸車６０，６１（図１１参照）と、を備える。
【００１９】
図５は、本実施形態の建具１の見込用スライド機構３１及び左右用スライド機構３０を示す拡大斜視図である。図６は、本実施形態の建具１の見込用スライド機構３１及び左右用スライド機構３０を示す拡大正面図である。図７は、本実施形態の建具１の見込用スライド機構３１及び左右用スライド機構３０の室内側を示す拡大斜視図である。
【００２０】
見込用スライド機構３１は、前後レール取付板３１０と、枠側レール３１１と、中間スライドレール３１２と、支持レール３１３と、第１レールジョイント板３１４と、第２レールジョイント板３１５と、を備える。
【００２１】
前後レール取付板３１０は、上枠２１に固定されており、枠側レール３１１を支持する。枠側レール３１１は、前後方向に延びており、中間スライドレール３１２を前後方向に移動可能に支持する。中間スライドレール３１２は、前後方向に延びており、枠側レール３１１に前後方向に移動可能に支持されるとともに、支持レール３１３を前後方向に移動可能に支持する。本実施形態では、中間スライドレール３１２の左右方向の一側に枠側レール３１１が嵌合されるとともに左右方向の他側に支持レール３１３が嵌合される。
【００２２】
第１レールジョイント板３１４は、支持レール３１３に固定されるＬ字プレートである。第２レールジョイント板３１５は、第１レールジョイント板３１４に固定されるＬ字プレートである。第２レールジョイント板３１５は、左右用スライド機構３０を保持する。
【００２３】
左右用スライド機構３０は、被支持レール３２と、中間スライドレール３３と、ドア側レール３４と、を備える。被支持レール３２は、左右方向に延びており、第２レールジョイント板３１５によって複数個所で支持されている。
【００２４】
中間スライドレール３３は、左右方向に延びており、被支持レール３２に左右方向に支持されるとともに、ドア側レール３４を左右方向に移動可能に支持される。本実施形態では、中間スライドレール３１２の見込方向室内側に被支持レール３２が嵌合され、見込方向室外側にドア側レール３４が嵌合される。ドア側レール３４は、スライドドア３の室内側の面における上部に固定される。
【００２５】
本実施形態の建具１は、スライドドア３を前後方向に移動させる電動の前後駆動機構４０と、スライドドア３を室外側にせり出した状態から開放位置に移動させる電動の左右移動機構５０と、を備える。
【００２６】
前後駆動機構４０及びスライドドア３の前後移動について説明する。図８は、本実施形態の建具１の前後駆動機構４０を示す斜視図である。図８では、縦枠２２が鎖線で示されている。前後駆動機構４０は、左右一対の縦枠２２のそれぞれに配置される。図９は、本実施形態の建具１の前後駆動機構４０を示す拡大斜視図である。
【００２７】
前後駆動機構４０は、取付板４４と、複数のアーム４１と、リンクバー４２と、見込用駆動モータ４３と、アーム係合部４５と、を備える。
【００２８】
取付板４４は、縦枠２２の内側に固定される。取付板４４は、複数のアーム４１が回転軸４００を中心として回転可能に取り付けられるアーム４１の支持部材である。アーム４１は、縦枠２２の内側の上部、中部、下部に配置される。リンクバー４２は、各アーム４１に連結される細長の板状部材である。リンクバー４２によって複数のアーム４１のうちの１つが動くと、その１つのアーム４１の動きに連動して他のアーム４１が同じように動く。
【００２９】
見込用駆動モータ４３は、縦枠２２の内側における中部に位置するアーム４１に接続される。見込用駆動モータ４３の駆動力によって中部に位置するアーム４１が回転し、当該アーム４１の回転に伴ってリンクバー４２を介して上下のアーム４１が連動回転する。
【００３０】
図９に示すように、アーム係合部４５は、スライドドア３の見込面に固定される。アーム係合部４５は、上方が開放された細長のカム溝４１１が形成される。カム溝４１１の上部には、上下方向でカム溝４１１に近づくにつれて狭まるテーパ部４１２が形成される。
【００３１】
アーム４１の先端側にはカム溝４１１に係合可能なカムピン４１０が設けられる。アーム４１は、カムピン４１０がカム溝４１１の内側に納まることによってスライドドア３に係合する。
【００３２】
図１０Ａは、本実施形態の閉鎖位置のアーム４１とアーム係合部４５の様子を示す図である。図１０Ａに示すように、閉鎖位置ではカムピン４１０がカム溝４１１の下端近くまで入り込んでいる。
【００３３】
図１０Ｂは、本実施形態の通風位置のアーム４１とアーム係合部４５の様子を示す図である。閉鎖位置から通風位置又は開放位置に移行するときは、見込用駆動モータ４３の駆動力によってアーム４１が上方に回動する。スライドドア３は、アーム４１のカムピン４１０によって室外側に押し出される力を受け、見込用スライド機構３１の各部がスライドして室外側に移動する。図１０Ｂに示すように、通風位置ではカムピン４１０とカム溝４１１の係合が維持された状態でアーム４１の回転が停止される。通風位置では、アーム４１の先端が縦枠２２（枠体２）よりも見込方向室外側に飛び出した状態となる。
【００３４】
図１０Ｃは、本実施形態の開放位置のアーム４１とアーム係合部４５の様子を示す図である。図１０Ｃに示すように、閉鎖位置又は通風位置から開放位置に移行するときは、カムピン４１０とカム溝４１１の係合が解除されるまで見込用駆動モータ４３の駆動力によってアーム４１を回転させる。このとき、アーム４１はスライドドア３との接触を回避する待機位置まで回転する。なお、スライドドア３の枠体２の内側から外側への見込方向の移動では、壁５の厚みが考慮される。本実施形態の壁５は化粧材を含んでいる。化粧材を含む壁５に干渉しない位置までスライドドア３は、見込方向室外側に移動することになる。従って、アーム４１の先端側も、スライドドア３を開放位置に移動させる過程で化粧材を含む壁５よりも見込方向室外側に位置することになる。
【００３５】
開放位置から通風位置又は閉鎖位置に移行するときは、図１０Ｃから図１０Ｂの順にスライドドア３が移動する。アーム４１を待機位置から下方に回転させてカムピン４１０をカム溝４１１の内側に入れる。このとき、カムピン４１０は、テーパ部４１２によってカム溝４１１の始端部にスムーズに誘導される。カムピン４１０がカム溝４１１の内側を下側に移動するようにアーム４１を下方に回動させることにより、スライドドア３が室内側に引き寄せられる。図１０Ｂの状態からアーム４１の先端が更に下がってスライドドア３が室内側に引き寄せられて図１０Ａに示す状態となる。
【００３６】
次に、左右移動機構５０及びスライドドア３の左右移動について説明する。図７及び図８に示すように、左右移動機構５０は、上枠２１及び縦枠２２の内側に配置される。
【００３７】
左右移動機構５０は、無端状のベルト部５１と、遊星ギア等からなる伝達機構５２と、左右用駆動モータ５３と、ベルト部５１に固定されるとともにスライドドア３に連結されるスライドドア連結部５４と、を備える。
【００３８】
左右用駆動モータ５３は、カムピン４１０とカム溝４１１の係合が解除された後に駆動し、伝達機構５２を介してベルト部５１を回動させる。ベルト部５１の移動に伴って移動するスライドドア連結部５４により、スライドドア３がベルト部５１の移動方向と同じ方向に移動する。
【００３９】
閉鎖位置に移行するときは、左右一対のスライドドア３が互いに離れる方向に移動する。左右用スライド機構３０によってスライドドア３が吊り下げ支持された状態であり、左右用スライド機構３０は、被支持レール３２に対して中間スライドレール３３がスライド移動した後、中間スライドレール３３に対してドア側レール３４がスライド移動する。
【００４０】
左右用スライド機構３０によって吊り下げ支持されたスライドドア３は、開放位置に至る過程で戸車６０，６１によって下から支持される。次に、戸車６０，６１によるスライドドア３の支持について説明する。
【００４１】
図１１は、本実施形態の建具１が備える戸車６０，６１の位置を示す拡大正面図である。図１１に示すように、スライドドア３の下部には複数の戸車６０，６１が配置される。戸車６０，６１は、ガイドレール４に係合可能に構成される。戸車６０は戸尻側に位置し、戸車６１は左右方向で略中央に位置する。ガイドレール４は、壁５より室外側の土間部１００に固定されており、壁５の見込方向室外側に位置している。
【００４２】
図１２は、本実施形態の建具１の縦断面図である。図１３は、本実施形態の建具１が備える戸車６０，６１を示す拡大断面図である。図１４Ａは、本実施形態の建具１の閉鎖位置を示す拡大横断面図である。図１４Ｂは、本実施形態の建具１の通風位置を示す拡大横断面図である。
【００４３】
図１２、図１３、図１４Ａ及び図１４Ｂに示すように、スライドドア３は、上框３３１、左右一対の縦框３３２及び下框３３４を備える。スライドドア３の室外側面３４０には壁５と共通の意匠を有する化粧板３５０が固定される。
【００４４】
上枠２１、左右一対の縦枠２２及び下枠２４の室外側の見付面には気密材２１０が配置される。気密材２１０は、閉鎖位置のスライドドア３の室内側面３４２に見込方向で接触する。また、上框３３１の上部には上枠２１との間の隙間を塞ぐ框側気密材３４１が配置される。戸車６０，６１は、見込方向で室外側から見たときにスライドドア３の室外側面３４０と室内側面３４２の間の下框３３４に回転可能に取り付けられる。
【００４５】
本実施形態のガイドレール４は、図１及び図１１に示すように、正面側（奥行方向）から見たときにその始端部４０１が枠体２の開口部２０よりも左右方向外側に位置している。即ち、図１１の正面視で右側に位置するガイドレール４の始端部４０１は枠体２の開口部２０よりも右側に位置し、左側に位置するガイドレールの始端部４０１は枠体２の開口部２０よりも左側に位置しており、枠体２の開口部２０の延長線状にはガイドレール４の始端部４０１が位置しない位置関係となっている。そのため、スライドドア３が見込方向で室外側に移動した突出位置の状態では、戸尻側に位置する戸車６０もガイドレール４に係合しない。
【００４６】
スライドドア３は、見込用スライド機構３１及び左右用スライド機構３０を介して上枠２１によって吊り下げ支持されている。スライドドア３は、左右用スライド機構３０によって開放位置に近づくにつれて重心が左右方向の外側に移動し、重みによってスライドドア３の位置が下がることで、戸車６０，６１がガイドレール４に係合する。従って、突出位置から開放位置に移動した後に戸車６０，６１がガイドレール４の始端部に係合し、戸車６０，６１によってスライドドア３の荷重が受け止められる。
【００４７】
次に、通風位置について説明する。図１４Ａ及び図１４Ｂに示すように、左右一対のスライドドア３の戸先側には嵌合部３３５ａ，３３５ｂが配置される。また、一側（図１４Ａ及び図１４Ｂの紙面左側）のスライドドア３の戸先側には電気錠７０の動作部７１と、他側（図１４Ａ及び図１４Ｂの紙面右側）のスライドドア３の戸先側には電気錠７０の受け部７２と、が配置される。
【００４８】
左右一対のスライドドア３は、閉鎖位置において電気錠７０によってロック状態となる。また、図１４Ｂに示すように、通風位置においても電気錠７０のロック状態は維持される。
【００４９】
通風位置のスライドドア３は、閉鎖状態よりも見込方向室外側にせり出した位置であって、開放状態よりも見込方向室内側に位置する。そして、通風位置では、左右一対のスライドドア３の連結状態が維持される。スライドドア３の戸先側と反対側の端面は、縦枠２２の見込面に対向しつつ、枠体２とスライドドア３の間に隙間が形成される。図１４Ｂの矢印に示すように、枠体２とスライドドア３の間に隙間によって通風が可能となる。
【００５０】
次に、電気錠７０への電力の供給経路について説明する。図１５は、本実施形態の建具１が備える給電装置８０の位置を示す拡大正面図である。図１６は、本実施形態の建具１が備える給電装置８０及び受電プレート９０を示す拡大斜視図である。
【００５１】
本実施形態の建具１は、閉鎖状態及び通風位置の何れにおいても、電力をスライドドア３に供給可能な給電装置８０を備える。図１５に示すように、給電装置８０は、枠体２の上枠２１の内側に配置される。
【００５２】
図１６に示すように、電気錠７０が電気的に接続される受電プレート９０がスライドドア３に固定されており、給電装置８０は受電プレート９０に電力を供給する。
【００５３】
給電装置８０は、枠体固定部８１と、２本（複数）の軸部８２と、２個（複数）の接触子８３と、接触子保持部８４と、２個（複数）のバネ（弾性部材）８５と、を備える。
【００５４】
枠体固定部８１は、上枠２１の内側に固定される。２本の軸部８２は、枠体固定部８１に見込方向にスライド移動可能に保持される。２本の軸部８２の先端には、接触子保持部８４が固定され、接触子保持部８４の室外側に２本の接触子８３が保持される。２個のバネ８５が配置される。バネ８５はコイルバネであり、その内側に軸部８２を通した状態で枠体固定部８１と接触子保持部８４の間に保持される。
【００５５】
図１７Ａは、本実施形態の建具１が閉鎖位置にある状態での給電装置８０及び受電プレート９０を示す拡大縦断面図である。図１７Ａに示すように、閉鎖位置では、給電装置８０の接触子８３が受電プレート９０に接触した状態である。接触子８３及び接触子保持部８４が室内側に押され、鎖線で示すバネ８５が自然状態よりも縮んだ状態となり、軸部８２が室内側に移動する。
【００５６】
図１７Ｂは、本実施形態の建具１が通風位置にある状態での給電装置８０及び受電プレート９０を示す拡大縦断面図である。図１７Ｂに示すように、通風位置では、閉鎖位置に比べてスライドドア３が見込方向室外側に移動する。そして、バネ８５によって接触子保持部８４が室外側に押され、軸部８２が室外側に移動してスライドドア３の移動に追従する。通風位置においても、給電装置８０の接触子８３と受電プレート９０の接触が維持される。
【００５７】
図１７Ｃは、本実施形態の建具１が突出位置にある状態での給電装置８０及び受電プレート９０を示す拡大縦断面図である。図１７Ｃに示すように、突出位置までスライドドア３が移動すると、給電装置８０の接触子８３と受電プレート９０の接触が解除される。なお、電気錠７０のロックは、突出位置又は通風位置から突出位置に移動するときに解除される。左右一対のスライドドア３は、突出位置から互いに離れるように左右方向で開放位置に移動する。
【００５８】
以上説明したように、上記実施形態は以下のように構成される。
建具１は、建物の開口部に沿って固定される枠体２と、枠体２内に納まるスライドドア（障子）３と、開口部を閉鎖する閉鎖位置と開口部から見込方向で枠体２の外側に突出した突出位置の間でスライドドア３を移動可能に支持する見込用スライド機構３１と、突出位置と該突出位置から左右方向に離間した開放位置との間でスライドドア３を移動可能に支持する左右用スライド機構３０（左右移動支持部）と、を備える。
【００５９】
本実施形態のスライドドア３は、閉鎖位置と突出位置の間でスライドドア３の見込面と枠体２の見込面とが対向した状態でスライドドア３と枠体２の間に隙間を形成する通風位置で停止可能に構成される。これにより、スライドドア３が左右方向に移動しようとしても枠体２に干渉するので、開口部を開放できなくなる。スライドドア３が通風位置であっても、防犯性能を維持できる建具１を実現できる。
【００６０】
本実施形態のスライドドア３は、左右一対で互いの戸先面が対向するように枠体２の開口部２０に配置され、閉鎖位置において左右一対のスライドドア３が左右方向で離れる方向の移動を規制可能な電気錠（ロック機構）７０を有し、通風位置では電気錠７０が規制状態にある。これにより、通風位置で電気錠７０によっても固定されるので、通風位置の防犯性をより一層向上させることができる。
【００６１】
本実施形態の建具１は、閉鎖位置においてスライドドア３と枠体２の間の見込方向の隙間を閉塞する気密材２１０を更に備え、通風位置では気密材２１０の閉塞が解除される。これにより、閉鎖位置の気密性を向上させつつ、通風位置での通気性を確保することができる。
【００６２】
本実施形態の建具１は、スライドドア３を見込方向に移動させる駆動力を出力する見込用駆動モータ４３を更に備え、見込用駆動モータ４３の駆動によってスライドドア３を閉鎖位置と開放位置の間を移動させ、見込用駆動モータ４３の停止によってスライドドア３を通風位置で停止させる。これにより、ユーザが操作部（図示省略）の操作によって電動で通風位置とすることができ、開閉動作の自動化が実現できる。
【００６３】
また、本実施形態の建具１は、スライドドア３の下部に配置される戸車（車輪）６０，６１と、スライドドア３が開放位置に移動する際に、戸車６０，６１の左右方向の移動をガイドするガイドレール（ガイド部）４と、を更に備える。これにより、見込用スライド機構３１及び左右用スライド機構３０によって枠体２の外側で支持されるスライドドア３の荷重を戸車６０，６１で受けることができるとともに、戸車６０，６１がガイドレール４によって見込方向の揺れが規制されるので、左右方向の移動を安定的なものとすることができる。
【００６４】
本実施形態のガイドレール４は、見込方向で開口部の外側に位置する。これにより、ガイドレール４がユーザの出入りの邪魔となることもなく、利便性を維持しつつスライドドア３の左右方向の移動が安定的なものとなる。
【００６５】
本実施形態のガイドレール４の始端部４０１は、枠体２が有する縦枠２２の内側の見込面よりも正面視で左右方向の外側に設けられる。これにより、ガイドレール４が枠体２の開口部２０の延長線上になくなるので、出入りの際の邪魔になることもない。
【００６６】
本実施形態の戸車６０は、スライドドア３の左右方向中央よりも戸尻側に配置される。これにより、突出位置から開放位置に移動する初期の段階で戸車６０がガイドレール４にガイドされるので、スライドドア３の左右方向の移動をより安定的なものとすることができる。
【００６７】
本実施形態の戸車６０，６１は、ガイドレール４に係合する。これにより、スライドドア３がガイドレール４により一層安定的にガイドされる。
【００６８】
また、本実施形態では、見込用スライド機構３１は、枠体２の上部に左右方向で間隔をあけて複数配置され、見込方向で枠体２の外側に向けて突出する枠側レール３１１、中間スライドレール３１２及び支持レール３１３を有する。また、左右用スライド機構３０は、複数の被支持レール３２、中間スライドレール３３及びドア側レール３４によって見込方向で移動可能に支持され、開口部から見込方向で枠体２の外側に突出した突出位置と該突出位置に対して左右方向に離間した開放位置との間で建物の壁５に沿ってスライドドア３をスライド移動可能に支持する。これにより、スライドドア３を枠体２に上吊り支持する構成をシンプルな構成で実現できる。見込用スライド機構３１が左右方向で間隔をあけて複数配置されるので、左右用スライド機構３０を安定的に保持できる。また、枠体２の室外側への露出を少なくできるので断熱性能を向上させるとともに、スライドドア３を見込方向に移動させるため、気密、水密性能も確保できる。
【００６９】
また、本実施形態のスライドドア３は、正面側に位置する第１面３ａ及び第１面３ａの裏側に位置する第２面３ｂを有し、突出位置では、第２面３ｂが枠体２の正面側の室外側見付面２２ａよりも見込方向で外側に位置し、開放位置では、第２面３ｂが壁５と見込方向で対向する。これにより、枠体２の開口部２０に重ならい壁５の前までスライドドア３を移動させることができるので、枠体２の開口部２０を大きく開放することができる。
【００７０】
本実施形態のスライドドア３は、壁５と共通の意匠を有する化粧板３５０を室外側に有し、スライドドア３が開口部を閉鎖する閉鎖位置では化粧板３５０と壁５が略同一平面に位置する。これにより、閉鎖位置でスライドドア３が壁５に埋まったような状態とすることができ、意匠性が向上する。また、スライドドア３が左右方向に移動するときの壁５との接触を確実に避けることができる。
【００７１】
本実施形態の建具１は、見込用駆動モータ４３に加え、枠体２に配置され、スライドドア３を左右方向に移動させる駆動力を出力する左右用駆動モータ５３を更に備え、スライドドア３が閉鎖位置、突出位置、開放位置の間を電動で移動する。これにより、ユーザが操作部（図示省略）を操作することにより、電動でスライドドア３を所望の位置に移動させることができる。
【００７２】
また、本実施形態の建具１は、枠体２に回転可能に配置されるアーム４１と、アーム４１に配置されるカムピン（カム部）４１１と、スライドドア（障子）３に配置され、カムピン４１０に係合可能なカム溝４１１と、を備え、アーム４１の回転によってカムピン４１０がカム溝４１１に係合する係合位置からカム溝４１１から離脱してスライドドア３に左右方向視で重ならない待機位置に移動することにより、スライドドア３が閉鎖位置から突出位置に移動する。これにより、見込用スライド機構３１によって支持されたスライドドア３をアーム４１の回転によって見込方向に安定的かつ容易に移動させることができる。また、アーム４１が待機位置に移動しているので突出位置から開放位置への移動時にスライドドア３がアーム４１に接触することもなく、スライドドア３の左右方向の移動も安定的に行うことができる。
【００７３】
本実施形態の枠体２には、アーム４１が上下方向に間隔をあけて複数配置され、スライドドア３には、カム溝４１１がアーム４１のカムピン４１０に対応して複数配置され、複数のアーム４１のそれぞれがリンクバー４２に連結される。複数のアーム４１のうちの１つが回転すると、他のアーム４１も連動して回転する。これにより、上下方向の複数個所でスライドドア３を見込方向に移動させる力をカムピン４１０とカム溝４１１からなるカム構造によって伝達できるので、スライドドア３の見込方向の移動をより一層安定的なものにすることができる。
【００７４】
また、本実施形態の建具１は、スライドドア（障子）３に配置され、電気錠７０に電気的に接続される受電プレート（受電部）９０と、枠体２に配置され、受電プレート９０に電力を供給する給電装置（給電部）８０と、を備え、給電装置８０は、閉鎖位置と突出位置の間でスライドドア３の移動に追従し、閉鎖位置から離れた状態でも受電プレート９０との接触を維持し、電力を給電する。これにより、閉鎖位置から突出位置に向けて見込方向で枠体２の外側に移動し始めた後も、受電プレート９０と給電装置８０の接触が維持され、電気錠７０への電力の供給も維持される。また、突出位置から閉鎖位置に戻る過程で閉鎖位置に到達する前に、受電プレート９０と給電装置８０が接触して電力の供給が可能となる。
【００７５】
本実施形態のスライドドア３は、少なくとも閉鎖位置から通風位置の間では給電装置８０と受電プレート９０の接触が維持される。これにより、通風位置でも給電装置８０から電力を電気錠７０に供給でき、電気錠７０のロック状態を制御することができる。
【００７６】
本実施形態の給電装置８０は、枠体２に固定される枠体固定部８１と、枠体固定部８１に対して見込方向で移動可能に保持される接触子８３と、少なくとも閉鎖位置において接触子８３をスライドドア３側に付勢するバネ（弾性部材）８５と、を有する。これにより、閉鎖位置から離れた状態で給電装置８０がスライドドア３の受電プレート９０に追従できる構成をシンプルに実現できる。
【００７７】
以上、本発明の好ましい実施形態について説明したが、本発明は、上述の実施形態に制限されるものではなく、適宜変更が可能である。
【００７８】
上記実施形態では、閉鎖状態のスライドドア３とガイドレール４が見込方向で重ならない位置関係となっているが、この構成に限定されるわけではない。閉鎖状態において、スライドドア３とガイドレール４が見込方向で重なる構成としてもよい。
【００７９】
上記実施形態では、アーム４１が回転可能に取り付けられる取付板４４が細長の板状部材として形成されるが、この構成に限定されるわけではない。複数のアーム４１ごとにブラケットを配置し、当該ブラケットによってアーム４１を回転可能に支持する構成としてもよい。
【００８０】
上記実施形態では、ガイド部としてのガイドレール４が見込方向で枠体２の開口部２０に重ならない位置に配置されるが、この構成に限定されない。ガイドレール４の始端部４０１が枠体２の開口部２０に重なる位置にあってもよい。また、ガイド部は、ガイドレール４に限定されず、車輪も戸車６０，６１に限定されない。ガイド部を溝状に形成し、車輪がガイド部の溝によってガイドされる構成としてもよい。
【００８１】
上記実施形態の構成に加えて見込方向の移動、通風位置及び突出位置でのスライドドア３の位置をガイドするガイド部を配置する構成としてもよい。例えば、下枠２４や土間部１００に配置され、スライドドア３がガイド位置に到達したときに磁力によって上方に突出し、スライドドア３の下部に形成される係合溝に係合してスライドドア３の位置をガイドする部材を配置してもよい。
【００８２】
上記実施形態の構成に加えて通風位置で前後方向の移動を規制するロック装置を更に備えてもよい。これによって、防犯性能が更に向上する。
【００８３】
なお、上記の閉鎖位置、通風位置、開放位置の何れかの位置でのみスライドドア３が停止させる構成に限定されるわけではなく、任意の位置でスライドドア３を停止させてもよい。
【符号の説明】
【００８４】
１  建具
２  枠体
３  スライドドア（障子）
３ａ  第１面
３ｂ  第２面
４  ガイドレール（ガイド部）
５  壁
２２ａ  室外側見付面（見付面）
３０  左右用スライド機構（左右移動支持部）
３１  見込用スライド機構（見込移動支持部）
４１  アーム
４２  リンクバー
４３  見込用駆動モータ
５３  左右用駆動モータ
６０，６１  戸車（車輪）
７０  電気錠（ロック機構）
８０  給電装置（給電部）
８１  枠体固定部
８３  接触子
８５  バネ（弾性部材）
９０  受電プレート（受電部）
２１０  気密材
３５０  化粧板
４１０  カムピン（カム部）
４１１  カム溝
【図１】
2020012242.tif 000003
【図２】
2020012242.tif 000004
【図３Ａ】
2020012242.tif 000005
【図３Ｂ】
2020012242.tif 000006
【図３Ｃ】
2020012242.tif 000007
【図４】
2020012242.tif 000008
【図５】
2020012242.tif 000009
【図６】
2020012242.tif 000010
【図７】
2020012242.tif 000011
【図８】
2020012242.tif 000012
【図９】
2020012242.tif 000013
【図１０Ａ】
2020012242.tif 000014
【図１０Ｂ】
2020012242.tif 000015
【図１０Ｃ】
2020012242.tif 000016
【図１１】
2020012242.tif 000017
【図１２】
2020012242.tif 000018
【図１３】
2020012242.tif 000019
【図１４Ａ】
2020012242.tif 000020
【図１４Ｂ】
2020012242.tif 000021
【図１５】
2020012242.tif 000022
【図１６】
2020012242.tif 000023
【図１７Ａ】
2020012242.tif 000024
【図１７Ｂ】
2020012242.tif 000025
【図１７Ｃ】
2020012242.tif 000026